【事件の表示】
　特願２００７−２７０８６８「アウタービット」拒絶査定不服審判事件〔平成２１年　５月　７日出願公開、特開２００９−　９７２６３、請求項の数（２）〕について、次のとおり審決する。
【結　論】
　原査定を取り消す。
　本願の発明は、特許すべきものとする。
【理　由】
第１　手続の経緯　
　本願は、平成１９年１０月１８日の出願であって、平成２４年６月２１日付けで拒絶査定がなされ、これに対して同年９月２４日に拒絶査定不服審判の請求がなされると同時に手続補正がなされ、当審において、同年１１月１日付けで審査官により作成された前置報告書について、平成２５年４月２６日付けで審尋を行ったところ、審判請求人は同年６月６日に回答書を提出した。
　
　
第２　平成２４年９月２４日付け手続補正（以下、「本件補正」という。）の適否
１　本件補正の内容
（１）補正事項１
　特許請求の範囲を、
「　　【請求項１】
全体が円筒形状のボディー（１０）のヘッド（１１）の先端（１１ｔ）に複数のチップ（２、３）が取付けられ、それらの複数のチップ（２、３）の各々がボディー（１０）の長手方向中心軸（Ｌｃ）を中心とする２つの同心円（Ｏ２、Ｏ３）の何れかの円周上に位置して２レーンを構成しており、ヘッド（１１）の外周面（１１ｏ）にはスライム排出用の溝（１９）が形成されているアウタービットにおいて、前記半径方向内方の同心円（Ｏ３）はボディー（１０）の厚さの中央よりも半径方向外方の領域に位置しており、前記ボディー（１０）の先端（１１ｔ）の内周面（１１ｉ）側および外周面（１１ｏ）側にはそれぞれ面取り（１５、１６）が施され、その外周面（１１ｏ）側の面取り（１６）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）と平行な方向を向いて前記外周面側の面取り（１６）に位置して設けられており、前記外チップ埋設用孔（１７）は前記スライム排出用の溝（１９）に対してアウタービットの回転方向（Ｒ）の反対側に２つ設けられ、前記内チップ埋設用孔（１８）は前記スライム排出用の溝（１９）に対してアウタービットの回転方向（Ｒ）の側に２つ設けられていることを特徴とするアウタービット。
　　【請求項２】
全体が円筒形状のボディー（１０）のヘッド（１１）の先端（１１ｔ）に複数のチップ（２、３）が取付けられ、それらの複数のチップ（２、３）の各々がボディー（１０）の長手方向中心軸（Ｌｃ）を中心とする２つの同心円（Ｏ２、Ｏ３）の何れかの円周上に位置して２レーンを構成しており、ヘッド（１１）の外周面（１１ｏ）にはスライム排出用溝（１９）が用いられているアウタービット（１）を備え、そのアウタービット（１）の半径方向内方の領域にインナービット（３０）が配置されている二重管ビットにおいて、前記アウタービット（１）のチップ（２、３）が位置する２つの同心円（Ｏ２、Ｏ３）のうちの半径方向内方の同心円（Ｏ３）はボディー（１０）の厚さの中央よりも半径方向外方の領域に位置しており、前記ボディー（１０）の先端（１１ｔ）の内周面（１１ｉ）側および外周面（１１ｏ）側にはそれぞれ面取り（１５、１６）が施され、その外周面（１１ｏ）側の面取り（１６）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）に平行な方向を向いて前記外周面側の面取り（１６）に位置して設けられており、前記外チップ埋設用孔（１７）は前記スライム排出用の溝（１９）に対してアウタービットの回転方向（Ｒ）の反対側に２つ設けられ、前記内チップ埋設用孔（１８）は前記スライム排出用の溝（１９）に対してアウタービットの回転方向（Ｒ）の側に２つ設けられており、前記インナービット先端（３０ｔ）の外周面（３０ｏ）近傍には円周方向にチップ（６）が配置されており、該チップ（６）はその先端（６ｔ）がアウタービット（１）の内周面（１１ｉ）近傍領域に対向する領域の岩盤を掘削する位置に設けられていることを特徴とする二重管ビット。」と補正する。
　
　なお、請求項１には「スライム排出内」と記載されているが、明細書等を参酌すれば、「スライム排出内」は「スライム排出用」の誤記であることは明らかであるので、本件補正後の請求項１に係る発明を上記のとおり認定した。
　同じく請求項２には「ビット（２、７）」と記載されているが、明細書等を参酌すれば、「ビット（２、７）」は「チップ（２、３）」の誤記であることは明らかであるので、本件補正後の請求項２に係る発明を上記のとおり認定した。
　
（２）補正事項２
　発明の詳細な説明の段落【００１５】を、
「　　【００１５】
　本発明によれば、全体が円筒形状のボディー（１０）のヘッド（１１）の先端（１１ｔ）に複数のチップ（２、３）が取付けられ、それらの複数のチップ（２、３）の各々がボディー（１０）の長手方向中心軸（Ｌｃ）を中心とする２つの同心円（Ｏ２、Ｏ３）の何れかの円周上に位置して２レーンを構成しており、ヘッド（１１）の外周面（１１ｏ）にはスライム排出内の溝（１９）が形成されているアウタービットにおいて、前記半径方向内方の同心円（Ｏ３）はボディー（１０）の厚さの中央よりも半径方向外方の領域に位置しており、前記ボディー（１０）の先端（１１ｔ）の内周面（１１ｉ）側および外周面（１１ｏ）側にはそれぞれ面取り（１５、１６）が施され、その外周面（１１ｏ）側の面取り（１６）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）と平行な方向を向いて前記外周面側の面取り（１６）に位置して設けられており、前記外チップ埋設用孔（１７）は前記スライム排出用の溝（１９）に対してアウタービットの回転方向（Ｒ）の反対側に２つ設けられ、前記内チップ埋設用孔（１８）は前記スライム排出用の溝（１９）に対してアウタービットの回転方向（Ｒ）の側に２つ設けられている。」と補正する。
　
（３）補正事項３
　発明の詳細な説明の段落【００１６】を削除する。
　
（４）補正事項４
　発明の詳細な説明の段落【００１７】を削除する。
　
（５）補正事項５
　発明の詳細な説明の段落【００１８】を削除する。
　
（６）補正事項６
　発明の詳細な説明の段落【００２０】を、
「　　【００２０】
　また、本発明によれば、全体が円筒形状のボディー（１０）のヘッド（１１）の先端（１１ｔ）に複数のチップ（２、３）が取付けられ、それらの複数のチップ（２、３）の各々がボディー（１０）の長手方向中心軸（Ｌｃ）を中心とする２つの同心円（Ｏ２、Ｏ３）の何れかの円周上に位置して２レーンを構成しており、ヘッド（１１）の外周面（１１ｏ）にはスライム排出用溝（１９）が用いられているアウタービット（１）を備え、そのアウタービット（１）の半径方向内方の領域にインナービット（３０）が配置されている二重管ビットにおいて、前記アウタービット（１）のビット（２、７）が位置する２つの同心円（Ｏ２、Ｏ３）のうちの半径方向内方の同心円（Ｏ３）はボディー（１０）の厚さの中央よりも半径方向外方の領域に位置しており、前記ボディー（１０）の先端（１１ｔ）の内周面（１１ｉ）側および外周面（１１ｏ）側にはそれぞれ面取り（１５、１６）が施され、その外周面（１１ｏ）側の面取り（１６）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）に平行な方向を向いて前記外周面側の面取り（１６）に位置して設けられており、前記外チップ埋設用孔（１７）は前記スライム排出用の溝（１９）に対してアウタービットの回転方向（Ｒ）の反対側に２つ設けられ、前記内チップ埋設用孔（１８）は前記スライム排出用の溝（１９）に対してアウタービットの回転方向（Ｒ）の側に２つ設けられており、前記インナービット先端（３０ｔ）の外周面（３０ｏ）近傍には円周方向にチップ（６）が配置されており、該チップ（６）はその先端（６ｔ）がアウタービット（１）の内周面（１１ｉ）近傍領域に対向する領域の岩盤を掘削する位置に設けられている。」と補正する。
　
２　本件補正の目的
（１）補正事項１
　ア　補正後の請求項１
　本件補正前の請求項１に係る発明を特定するために必要な事項である「複数のチップ（２，３）」に関し、「ボディー（１０）の先端（１１ｔ）に複数のチップ（２，３）が埋設され」るものから、「ボディー（１０）のヘッド（１１）の先端（１１ｔ）に複数のチップ（２，３）が取付けられ」るものに限定し、
　同じく「アウタービット」に関し、「ヘッド（１１）の外周面（１１ｏ）にはスライム排出用の溝（１９）が形成されている」と限定し、
　同じく「アウタービット」に関し、「その外周面（１１ｏ）側の面取り（１ｃ）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）と平行な方向を向いて前記外周面側の面取り（１６）に位置して設けられており、前記外チップ埋設用孔（１７）は前記スライム排出用の溝（１９）に対してアウタービットの回転方向（Ｒ）の反対側に２つ設けられ、前記内チップ埋設用孔（１８）は前記スライム排出用の溝（１９）に対してアウタービットの回転方向（Ｒ）の側に２つ設けられていること」を限定するものである。
　よって、本件補正後の請求項１に係る補正は、本件補正前の請求項１に係る発明を特定するために必要な事項を限定する補正であって、補正前の請求項１に記載された発明と補正後の請求項１に記載された発明の産業上の利用分野及び解決しようとする課題が同一であるから、特許法第１７条の２第５項第２号に掲げる特許請求の範囲の減縮を目的とするものに該当する。
　
　イ　補正後の請求項２
　本件補正前の請求項４に係る発明を特定するために必要な事項である「複数のチップ（２，３）」に関し、「ボディー（１０）の先端（１１ｔ）に複数のチップ（２，３）が埋設され」るものから、「ボディー（１０）のヘッド（１１）の先端（１１ｔ）に複数のチップ（２，３）が取付けられ」るものに限定し、
　同じく「アウタービット」に関し、「ヘッド（１１）の外周面（１１ｏ）にはスライム排出用の溝（１９）が形成されているアウタービット（１）」と限定し、
　同じく「アウタービット」に関し、「その外周面（１１ｏ）側の面取り（１６）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）と平行な方向を向いて前記外周面側の面取り（１６）に位置して設けられており、前記外チップ埋設用孔（１７）は前記スライム排出用の溝（１９）に対してアウタービットの回転方向（Ｒ）の反対側に２つ設けられ、前記内チップ埋設用孔（１８）は前記スライム排出用の溝（１９）に対してアウタービットの回転方向（Ｒ）の側に２つ設けられて」いることを限定するものである。
　よって、本件補正後の請求項２に係る補正は、本件補正前の請求項４に係る発明を特定するために必要な事項を限定する補正であって、補正前の請求項４に記載された発明と補正後の請求項２に記載された発明の産業上の利用分野及び解決しようとする課題が同一であるから、特許法第１７条の２第５項第２号に掲げる特許請求の範囲の減縮を目的とするものに該当する。
　
　ウ　本件補正に係る特許請求の範囲の補正のうち、補正前の請求項２及び３を削除する補正は、特許法第１７の２条第５項第１号に掲げる請求項の削除を目的とするものに該当する。
　
（３）補正事項２〜６
　詳細な説明における上記補正事項２〜６は、上記補正事項１による特許請求の範囲の補正に伴い、特許請求の範囲の記載と発明の詳細な説明の記載との整合を図るものであるから、特許法第１７の２条第５項第４号に掲げる明りょうでない記載の釈明を目的とするものに該当する。
　
（４）小括
　上記のとおり、本件補正は、特許法第１７条の２第５項第１，２，４号に掲げる事項を目的とするものであって、また特許法第１７条の２第３項、第４項に違反するものではない。
　そこで、本件補正後の前記請求項１及び２に係る発明（以下、「本願補正発明１」及び「本件補正発明２」という。）が、特許法第１７条の２第６項において準用する同法第１２６条第７項の規定に適合するか（特許出願の際独立して特許を受けることができるものであるか）について以下検討する。
　
３　刊行物
（１）原査定の拒絶の理由に引用された、本願の出願前に頒布された刊行物である実願平２−３０９２７号（実開平３−１２２１８８号）のマイクロフィルム（以下「引用例１」という。）には、図面とともに次の事項が記載されている。（下線は審決で付した。以下同様。）
　
　ア　「３．　考案の詳細な説明
　［産業上の利用分野］
　本考案は、アンカー工事や地盤改良工事の施工に際して行われる
ロータリーパーカッションマシンに依るボーリング作業に用いられる工具
　［従来の技術］
　アースアンカー、ロックアンカー、水抜孔、注入孔工事における
二重管工法
内、外のドリルロットの先端にアウタービット（外側）とインナービット（内側）をセットし、同時に掘削する
　
　イ　「［実施例］
　以下、第１図及び第２図を参照して、本考案の実施例について説明する。
　第１図及び第２図はφ１３７×１３３アウタービットに本考案を適用したものであり、全体を符号
１０
アウタービット
端面１２に等間隔に５箇所の水溝１４
を形成
　第１図において、
水溝１４、１４の間には、２個の
弾丸チップ
１６、１６
その２つの弾丸チップ間に配置されたハウス型チップ１８が、それぞれ配置され
　
弾丸チップ１６はアウタービット１０の端面１２に埋め込まれており、ハウス型チップ１８は端面１２に植え込まれて
弾丸チップ１６、１６はアウタービット１０の端面１２の中心線
に対して内側
或いは外側
に偏寄して、且つ互い違いになって
すなわち弾丸チップ１６Ｏと１６Ｉとは互い違いに或いは交互に配置されており、弾丸チップ１６Ｏは中心線から
に偏寄しており、弾丸チップ１６Ｉは中心線から
に偏寄している
　第２図で示すように、アウタービット１０の
シャンク２０の外周面２２において、水溝１４、１４間には硬装材が溶射されて硬装肉盛が形成され
　
　ウ　「このアウタービット１０は第１図で示す様に時計方向（矢印ＣＣＷ）へ回転する。その場合、掘削すべき地盤（岩盤）はアウタービット１０に対して、第１図の反時計方向ＣＯへ相対的に移動すると考えることが出来る。
　第１図及び第２図において、掘削の結果、弾丸ビット１６Ｏの外側部分１７が磨耗する。砕かれたスライムが矢印Ｓで示す様に移動するが、このスライムはハウス型チップ１８が受けるので締まってしまうことが無い。また、ハウス型チップ１８によりＯ側の地盤が掘削されるので、地盤による締まりがさらに防止される。」（明細書１０頁末行〜１１頁１１行）
　
　エ　第１図〜第３図を参照すると、アウタービット１０を構成するシャンク２０及びネジ部２６は、全体が円筒形状であることがみて取れる。
　
　オ　上記イを見ながら第２図及び第２図Ａを参照すると、端面１２の外周面側は面取りが施されており、チップ１６Ｏとチップ１６Ｉは共に当該面取りに位置し、チップ１６Ｏは半径方向外方に傾斜して設けられ、チップ１６Ｉは半径方向に傾斜していないことがみて取れる。
　
　カ　第１図を参照すると、ハウス型チップ１８は、アウタービット１０の端面１２の中心線に対して外側に偏奇していることがみて取れる。
　
　キ　上記アないしカからみて、引用例１には、以下の発明（以下「引用発明」という。）が記載されているものと認められる。
　
「ロータリーパーカッションマシンに依るボーリング作業であって、内、外のドリルロッドの先端にアウタービット（外側）とインナービット（内側）をセットし、同時に掘削する二重管構法に用いられる工具において、
　アウタービット１０はシャンク２０とネジ部２６からなり、全体が円筒形状であり、
　シャンク２０の端面１２には等間隔に５箇所の水溝１４を形成し、水溝１４間には、２個の弾丸チップ１６Ｏ、１６Ｉと、その２つの弾丸チップ１６１６Ｏ、１６Ｉ間に配置されたハウス型チップ１８が植え込まれており、
　弾丸チップ１６Ｏ、１６Ｉは、アウタービット１０の端面１２の中心線に対して内側或いは外側に偏寄して、且つ互い違いに、すなわち弾丸チップ１６Ｏと１６Ｉとは互い違いに或いは交互に配置されており、弾丸チップ１６Ｏは中心線から外側に偏寄しており、弾丸チップ１６Ｉは中心線から内側に偏寄しているのであって、
　ハウス型チップ１８は、アウタービット１０の端面１２の中心線に対して外側に偏寄して配置し、
　シャンク２０の外周面２２において、水溝１４間には硬装材が溶射されて硬装肉盛が形成されており、
　端面１２の外周面側は面取りが施されており、チップ１６Ｏとチップ１６Ｉは共に当該面取りに位置し、チップ１６Ｏは半径方向外方に傾斜して設けられ、チップ１６Ｉは半径方向に傾斜していない工具。」
　
（２）原査定の拒絶の理由に引用された、本願の出願前に頒布された刊行物である特開２００２−１８８３８５号公報（以下「引用例２」という。）には、図面とともに次の事項が記載されている。
　
　ア　「【００１９】次に、図１等によりリングビットの先端駆動体３の構造を説明する。先端駆動体３は内管ハンマ部４とこれを囲む比較的薄肉状の外管ハンマ部５とから構成される。内管ハンマ部４は、内管２０と、この同軸上に連結されるＤＴＨ（ダウンホールエアハンマ）２１と、この先端に軸線方向に沿って移動可能に挿着されるインナビット２２とからなる。なお、内管２０にはドリルヘッド１の内管駆動軸９の内管継手９ａが着脱可能に挿着される。また、内管２０，ＤＴＨ２１及びインナビット２２には内管駆動軸９の貫通中空孔１０に連通する孔が夫々形成される。
【００２０】また、インナビット２２は図５に示すようにその周縁に凹部２２ｂを形成すると共にその孔２２ａに連通する排出口の１つであるインナビット溝２２ｃが形成される。更に、その先端には打撃用の掘削チップ２３が多数個配置され、インナビット２２の外面側には段部２２ｄが形成される。
【００２１】一方、外管ハンマ部５は、外管２４と、これに連結されるリングビット継手２５と、リングビット継手２５の軸線方向に沿って摺動自在に挿着されるリングビット２６と、リングビット２６の抜けを防止するストッパ２７等とからなる。なお、図６に示すように、リングビット２６とリングビット継手２５とは図示のような凹凸部２８により嵌合され、自由回転を拘束されている。また、リングビット２６の内面にはインナビット２２の段部２２ｄの当る段部２６ａ（図１）が形成され、その先端には打撃用の掘削チップ２９が多数個配置される。また、図１に示すように外管２４は外管駆動軸１４の外管継手１４ａに着脱可能に挿着され、内管ハンマ部４と外管ハンマ部５との間には環状部分である隙間３０が形成され、隙間３０はインナビット２２のインナビット溝２２ｃや孔２２ａに連通すると共に大気側に連通する。」
　
　イ　【図５】を参照すると、リングビット２６には、リングビット２６の先端の厚み方向外側寄りの掘削チップ２９と、先端の厚み方向内側寄りの掘削チップ２９とが、交互に配置していることがみて取れる。
　
　ウ　上記アないしイからみて、引用例２には、以下の技術事項（以下「技術事項Ａ」という。）が記載されているものと認められる。
「その先端には、厚み方向外側寄りの掘削チップ２９と、先端の厚み方向内側寄りの掘削チップ２９とが、交互に多数配置しているリングビット２６」
　
（３）原査定の拒絶の理由に引用された、本願の出願前に頒布された刊行物である特開２００２−６１４８４号公報（以下「引用例３」という。）には、図面とともに次の事項が記載されている。
　
　ア　「【０００１】
【発明の属する技術分野】本発明は、地盤をボーリング機で二重管掘削する場合に使用するビット（インナビット及びアウタビット）の内アウタビットに関するもので、特にロータリパーカッションドリル（ＲＰＤ）で掘削する場合に有効である。」
　
　イ　「【００１４】
【発明の実施の形態】以下添付図に基づいて本発明の実施の形態を説明する。
【００１５】図１は本発明の一実施の形態を示すアウタビットの図で、（ａ）は平面を、（ｂ）は縦断面をそれぞれ示す。図２は図１の断面で、（ａ）はＡ−Ａ線断面を、（ｂ）はＢ−Ｂ線断面を、（ｃ）はＣ−Ｃ線断面をそれぞれ示す。図３は図１のアウタビットに植設された、チップの説明図で、（ａ）は図１のＣ−Ｃ断面の拡大図、（ｂ）及び（ｃ）はチップの正面図で（ｃ）の５１ａは摩耗部を示す。
【００１６】図において、チップ径（ｄ）とシャンク肉厚（ｔ）との比はｔ／ｄ＝１４．５／１４≒１．０３で、従来の図６の１．４５及び図７の１．２に比べ値が小さいので、シャンク肉厚（ｔ）に比べチップ径（ｄ）が大きい。また、チップ埋設部の長手寸法（Ｌ）とチップ径（ｄ）との比Ｌ／ｄ＝６／１４≒０．４３で、従来の図６の場合の約１及び図７の場合の１と比べると、チップ径（ｄ）に比べチップ埋設部の長手寸法（Ｌ）が小さく、従ってチップは従来より折れに対する抵抗が大きい。
【００１７】さらに、図３（ａ）に示すように、アウタビット５０の最外径の同心円をなすチップ５１とビットシャンク５２からの突出高さ（ｈ）は１．１８５ｍｍ（ビット径（称呼）は１３７ｍｍ）で、従来の図６の（ｈ）の０に近い僅かな値及び、図７での０．７３９ｍｍに比べ相当大きい。
【００１８】図３（ｃ）で黒塗りした部分５１ａは摩耗部を示す。図４には参考のため、一般に使用されているインナビットを図示した。
【００１９】本発明では、チップ埋設部の長手寸法（Ｌ）とチップ径（ｄ）との関係をＬ＝０．３５ｄ〜０．６ｄとすることにより、ビットシャンク肉厚（ｔ）に対するチップ径（ｄ）を大きく設計できるようになり、その結果ｔ＝０．８ｄ〜１．２ｄの関係でチップ径（ｄ）を従来より大きくできることが判明した。埋設部の長手寸法（Ｌ）が短くなったので、ビットシャンクへの固定強度を確保するため、チップはビットシャンクにろう付けにより植設する。
【００２０】また、最外径の同心円をなすチップの外径方向への傾斜（α）は２０〜３５度が設計上、掘削抵抗（トルク給進力）上有利であるので、この範囲のαの場合、ビットシャンク外径からの突出高さ（ｈ）は０．８〜２ｍｍと従来より大きい値をとることができる。
【００２１】さらに、チップ径（ｄ）を大きくできるので、ビットシャンクから掘削面へのチップ突出寸法を大きくすることができる。」
　
　ウ　【図１】（ａ）及び（ｂ）を参照すると、アウタービット５０の先端の内周面側に面取りが施されていることがみて取れる。
　
　エ　【図１】及び【図２】を参照すると、アウタビット５０の先端には、アウタビット５０の径方向に傾いていないチップ５１と、アウタビット５０の径方向外側に１５°傾いたチップ５１と、同じく３０°傾いたチップ５１とが、アウタビット５０の先端の円周方向に順番に配置していることがみてとれる。
　
　オ　上記アないしエからみて、引用例３には、以下の技術事項が（以下「技術事項Ｂ」という。）が記載されているものと認められる。
「その先端には、内周面側に面取りが施され、
　アウタビット５０の径方向に傾いていないチップ５１と、アウタビット５０の径方向外側に１５°傾いたチップ５１と、同じく３０°傾いたチップ５１とが、アウタビット５０の先端の円周方向に順番に配置している、
　アウタビット５０。」
　
４　対比・判断
（１）本願補正発明１
　ア　本願補正発明１と引用発明とを対比する。
　（ア）引用発明の「アウタービット１０」は、本願発明１の「アウタービット」に相当し、以下同様に、
「全体が円筒形状」である「シャンク２０」と「ネジ部２６」を合わせたものが、「全体が円筒形状のボディー（１０）」に、
「シャンク２０」は、「ヘッド（１１）」に、
「端面１２」は、「先端（１１ｔ）」に、
「アウタービット１０の端面１２の中心線」は、「長手方向中心軸（Ｌｃ）」に、
「水溝１４」は、「スライム排出用の溝（１９）」に、
「端面１２の外周面２２側」に施された「面取り」は、「外周面（１１ｏ）側の面取り（１６）」に、相当する。
　
　（イ）引用発明において、「弾丸チップ１６Ｏ、１６Ｉは、アウタービット１０の端面１２の中心線に対して内側或いは外側に偏寄して、且つ互い違いに、すなわち弾丸チップ１６Ｏと１６Ｉとは互い違いに或いは交互に配置されており、弾丸チップ１６Ｏは中心線から外側に偏寄しており、弾丸チップ１６Ｉは中心線から内側に偏寄している」ことは、弾丸チップ１６Ｏと１６Ｉがそれぞれ並んだことによって、２つの同心円を形成するので、本願補正発明１の「ボディー（１０）の長手方向中心軸（Ｌｃ）を中心とする２つの同心円（Ｏ２、Ｏ３）のいずれかの円周上に位置して２レーンを構成」することに相当する。
　
　（ウ）引用発明の「アウタービット１０の端面１２の中心線に対して外側に偏記」している「弾丸チップ１６Ｏ」は、本願補正発明１の「半径方向外方の同心円（Ｏ２）上に配置されている外チップ２」に、同じく「アウタービット１０の端面１２の中心線に対して内側に偏記」している「弾丸チップ１６Ｉ」は、「半径方向内方の同心円（Ｏ３）上に配置されている内チップ３」に相当する。
　
　（エ）引用発明の「弾丸チップ１６Ｏ、１６Ｉ」は、「アウタービット１０の端面１２」に植え込まれているものであるから、引用発明の「アウタービット１０の端面１２」には、「弾丸チップ１６Ｏ」の埋設用孔と、「弾丸チップ１６Ｉ」の埋設用孔が設けられていることは当業者にとって自明である。
　よって引用発明の「半径方向外方に傾斜して設けられ」た「弾丸チップ１６Ｏ」の埋設用孔は、本願補正発明１の「中心軸（Ｌｃ）に対して半径方向外方に傾斜して設けられ」た「外チップ埋設用孔（１７）」に相当し、同じく「半径方向外方に傾斜していない」「弾丸チップ１６Ｉ」の埋設用孔は、本願補正発明１の「中心軸（Ｌｃ）と平行な方向を向いて設けられ」た「内チップ埋設用孔（１８）」に相当する。
　
　（オ）上記（ア）ないし（エ）からみて、本願補正発明１と引用発明とは、
「全体が円筒形状のボディーのヘッドの先端に複数のチップが取付けられ、それらの複数のチップの各々がボディーの長手方向中心軸を中心とする２つの同心円の何れかの円周上に位置して２レーンを構成しており、ヘッドの外周面にはスライム排出用の溝が形成されているアウタービットにおいて、前記ボディーの先端の外周面側には面取りが施され、その外周面側の面取りには半径方向外方の同心円上に配置されている外チップを取付ける外チップ埋設用孔が中心軸に対して半径方向外方に傾斜して設けられ、前記半径方向内方の同心円上に配置されている内チップを取付ける内チップ埋設用孔は中心軸と平行な方向を向いて前記外周面側の面取りに位置して設けられている、アウタービット。」で一致し、以下の点で相違している。
　
〔相違点〕　
Ｉ）半径方向内方の同心円（Ｏ３）が、本願補正発明１は、ボディー（１０）の厚さの中央よりも半径方向外方の領域に位置しているのに対し、引用発明は、その様になっていない点。
ＩＩ）本願補正発明１は、ボディー（１０）の先端（１１ｔ）の内周面（１１ｉ）側に面取り（１５）を施しているのに対し、引用発明は、その様な面取りを施しているかどうか不明な点。
ＩＩＩ）本願補正発明１は、外チップ埋設用孔（１７）はスライム排出用の溝（１９）に対してアウタービットの回転方向（Ｒ）の反対側に２つ設けられ、内チップ埋設用孔（１８）はスライム排出用の溝（１９）に対してアウタービットの回転方向（Ｒ）の側に２つ設けられているのに対し、引用発明は、その様になっていない点。
　
（２）判断
　上記相違点について検討する。
　ア　相違点Ｉについて
　（ア）引用例２には、上記「３（２）ウ」で示した技術事項Ａが記載されている。
　上記技術事項Ａの「厚み方向内側寄りの掘削チップ２９」が本願補正発明の「内チップ３」に相当し、当該「掘削チップ２９」が同心円を形成するとしても、当該同心円が、本願補正発明１の様に、「半径方向内方の同心円（Ｏ３）はボディー（１０）の厚さの中央よりも半径方向内側の領域に位置して」いるか不明である。
　
　（イ）また引用例３には、上記「３（３）オ」で示した技術事項Ｂが記載されている。
　上記技術事項Ｂの「アウタビット５０の先端の円周方向に順番に配置している」、「アウタビット５０の径方向に傾いていないチップ５１」と、「アウタビット５０の径方向外側に１５°傾いたチップ５１」と、「同じく３０°傾いたチップ５１」が、それぞれが同心円を形成するとしても、そのどれかの同心円が、本願補正発明１の様に、「半径方向内方の同心円（Ｏ３）はボディー（１０）の厚さの中央よりも半径方向内側の領域に位置して」いるかどうか不明である。
　
　（ウ）上記（ア）ないし（イ）からみて、引用例２ないし３には、上記相違点Ｉに係る本願補正発明１の構成が記載されておらず、また当業者に自明な事項とも認められない。
　そして、本願補正発明１が上記相違点Ｉに係る構成を採用することにより、本願明細書段落【００２１】に記載の効果を奏するものと認められる。
　
　イ　そうすると、本願補正発明１は、上記相違点ＩＩ及びＩＩＩについて検討するまでも無く、当業者が引用発明、技術事項Ａ及び技術事項Ｂに基いて容易に発明をすることができたとはいえない。
　
（２）本願補正発明２
　ア　本願補正発明２と引用発明とを対比する。
　（ア）引用発明の「アウタービット１０」は、本願発明１の「アウタービット（１）」に相当し、以下同様に、
「インナービット」は、「インナービット（３０）」に、
「内、外のドリルロッドの先端にアウタービット（外側）とインナービット（内側）をセットし、同時に掘削する二重管構法に用いられる工具」は、「二重管ビット」に、
「全体が円筒形状」である「シャンク２０」と「ネジ部２６」を合わせたものが、「全体が円筒形状のボディー（１０）」に、
「シャンク２０」は、「ヘッド（１１）」に、
「端面１２」は、「先端（１１ｔ）」に、
「アウタービット１０の端面１２の中心線」は、「長手方向中心軸（Ｌｃ）」に、
「水溝１４」は、「スライム排出用溝（１９）」に、
「端面１２の外周面２２側」に施された「面取り」は、「外周面（１１ｏ）側の面取り（１６）」に、相当する。
　
　（イ）引用発明の「内、外のドリルロッドの先端にアウタービット（外側）とインナービット（内側）をセットし、同時に掘削する二重管構法に用いられる工具」は、本願補正発明２の「アウタービット（１）の半径方向内方の領域にインナービット（３０）が配置されている二重管ビット」に相当する。
　
　（ウ）引用発明において、「弾丸チップ１６Ｏ、１６Ｉは、アウタービット１０の端面１２の中心線に対して内側或いは外側に偏寄して、且つ互い違いに、すなわち弾丸チップ１６Ｏと１６Ｉとは互い違いに或いは交互に配置されており、弾丸チップ１６Ｏは中心線から外側に偏寄しており、弾丸チップ１６Ｉは中心線から内側に偏寄している」ことは、弾丸チップ１６Ｏと１６Ｉがそれぞれ並んだことによって、２つの同心円を形成するので、本願補正発明１の「ボディー（１０）の長手方向中心軸（Ｌｃ）を中心とする２つの同心円（Ｏ２、Ｏ３）のいずれかの円周上に位置して２レーンを構成」することに相当する。
　
　（エ）引用発明の「アウタービット１０の端面１２の中心線に対して外側に偏記」している「弾丸チップ１６Ｏ」は、本願補正発明１の「半径方向外方の同心円（Ｏ２）上に配置されている外チップ２」に、同じく「アウタービット１０の端面１２の中心線に対して内側に偏記」している「弾丸チップ１６Ｉ」は、「半径方向内方の同心円（Ｏ３）上に配置されている内チップ３」に相当する。
　
　（オ）引用発明の「弾丸チップ１６Ｏ、１６Ｉ」は、「アウタービット１０の端面１２」に植え込まれているものであるから、引用発明の「アウタービット１０の端面１２」には、「弾丸チップ１６Ｏ」の埋設用孔と、「弾丸チップ１６Ｉ」の埋設用孔が設けられていることは当業者にとって自明である。
　よって引用発明の「半径方向外方に傾斜して設けられ」た「弾丸チップ１６Ｏ」の埋設用孔は、本願補正発明１の「中心軸（Ｌｃ）に対して半径方向外方に傾斜して設けられ」た「外チップ埋設用孔（１７）」に相当し、同じく「半径方向外方に傾斜していない」「弾丸チップ１６Ｉ」の埋設用孔は、本願補正発明１の「中心軸（Ｌｃ）と平行な方向を向いて設けられ」た「内チップ埋設用孔（１８）」に相当する。
　
　（カ）上記（ア）ないし（オ）からみて、本願補正発明２と引用発明とは、
「全体が円筒形状のボディー（１０）のヘッド（１１）の先端（１１ｔ）に複数のチップ（２、３）が取付けられ、それらの複数のチップ（２、３）の各々がボディー（１０）の長手方向中心軸（Ｌｃ）を中心とする２つの同心円（Ｏ２、Ｏ３）の何れかの円周上に位置して２レーンを構成しており、ヘッド（１１）の外周面（１１ｏ）にはスライム排出用溝（１９）が用いられているアウタービット（１）を備え、そのアウタービット（１）の半径方向内方の領域にインナービット（３０）が配置されている二重管ビットにおいて、前記ボディー（１０）の先端（１１ｔ）の外周面（１１ｏ）側には面取り（１６）が施され、その外周面（１１ｏ）側の面取り（１６）には半径方向外方の同心円（Ｏ２）上に配置されている外チップ（２）を取付ける外チップ埋設用孔（１７）が中心軸（Ｌｃ）に対して半径方向外方に傾斜して設けられ、前記半径方向内方の同心円（Ｏ３）上に配置されている内チップ（３）を取付ける内チップ埋設用孔（１８）は中心軸（Ｌｃ）に平行な方向を向いて前記外周面側の面取り（１６）に位置して設けられている、
二重管ビット。」で一致し、以下の点で相違している。
　
〔相違点〕　
ＩＶ）半径方向内方の同心円（Ｏ３）が、本願補正発明２は、前記ボディー（１０）の厚さの中央よりも半径方向外方の領域に位置しているのに対し、引用発明は、その様になっているかどうか不明な点。
Ｖ）本願補正発明２は、ボディー（１０）の先端（１１ｔ）の内周面（１１ｉ）側に面取り（１５）が施しているのに対し、引用発明は、その様な面取りを施しているかどうか不明な点。
ＶＩ）本願補正発明２は、外チップ埋設用孔（１７）はスライム排出用の溝（１９）に対してアウタービットの回転方向（Ｒ）の反対側に２つ設けられ、内チップ埋設用孔（１８）はスライム排出用の溝（１９）に対してアウタービットの回転方向（Ｒ）の側に２つ設けられているのに対し、引用発明は、その様になっていない点。
ＶＩＩ）本願補正発明２は、インナービット先端（３０ｔ）の外周面（３０ｏ）近傍には円周方向にチップ（６）が配置されており、該チップ（６）はその先端（６ｔ）がアウタービット（１）の内周面（１１ｉ）近傍領域に対向する領域の岩盤を掘削する位置に設けられているのに対し、引用発明は、その様になっているかどうか不明な点。
　
（２）判断
　上記相違点について検討する。
　ア　相違点ＩＶについて
　（ア）引用例２には、上記「３（２）ウ」で示した技術事項Ａが記載されている。
　上記技術事項Ａの「厚み方向内側寄りの掘削チップ２９」が本願補正発明の「内チップ３」に相当し、当該「掘削チップ２９」が同心円を形成するとしても、当該同心円が、本願補正発明２の様に、「半径方向内方の同心円（Ｏ３）はボディー（１０）の厚さの中央よりも半径方向内側の領域に位置して」いるか不明である。
　
　（イ）また引用例３には、上記「３（３）オ」で示した技術事項Ｂが記載されている。
　上記技術事項Ｂの「アウタビット５０の先端の円周方向に順番に配置している」、「アウタビット５０の径方向に傾いていないチップ５１」と、「アウタビット５０の径方向外側に１５°傾いたチップ５１」と、「同じく３０°傾いたチップ５１」が、それぞれが同心円を形成するとしても、そのどれかの同心円が、本願補正発明２の様に、「半径方向内方の同心円（Ｏ３）はボディー（１０）の厚さの中央よりも半径方向内側の領域に位置して」いるかどうか不明である。
　
　（ウ）上記（ア）ないし（イ）からみて、引用例２ないし３には、上記相違点ＩＶに係る本願補正発明２の構成が記載されておらず、また当業者に自明な事項とも認められない。
　そして、本願補正発明２が上記相違点ＩＶに係る構成を採用することにより、本願明細書段落【００２１】に記載の効果を奏するものと認められる。
　
　イ　したがって、本願補正発明２は、上記相違点Ｖ〜ＩＩＶについて検討するまでも無く、当業者が引用発明、技術事項Ａ及び技術事項Ｂに基いて容易に発明をすることができたとはいえない。
　
（３）上記（１）ないし（２）のとおり、本件補正は、特許法第１７条の２第６項において準用する同法第１２６条第７項の規定に適合する。
　
６　むすび
　以上のとおり、本件補正は、特許法第１７条の２第３項ないし第６項の規定に適合する。
　
　
第３　本願発明について
　本件補正は上記第２のとおり、特許法第１７条の２第３項ないし第６項の規定に適合するから、本願の請求項１ないし２に係る発明は、本件補正により補正された特許請求の範囲の請求項１ないし２に記載された事項により特定されるとおりのものである。
　そして、本願については、原査定の拒絶理由を検討してもその理由によって拒絶すべきものとすることはできない。
　また、他に本願を拒絶すべき理由を発見しない。
　
　よって、結論のとおり審決する。